(57)【要約】【課題】ＶＲフォーマット以外の録画方式でテレビ番組をＤＶＤに録画する際に、記録途中でテレビ放送のアスペクト比が変わっても、再生時の再生映像は縦横のバランスの取れた映像を出力できる光ディスク記録再生装置を提供する。【解決手段】ＤＶＤにビデオ・レコーディング・フォーマット以外のフォーマットでテレビ放送番組を録画する際、録画制御部は、当該ＤＶＤに当該装置を示す装置情報を記録し、装置のメモリに録画時の録画経過時間と録画時のテレビ放送のアスペクト比を示すアスペクト情報を保存するように制御を行う。そして、当該ＤＶＤの録画番組を再生する際に、再生制御部は、当該ＤＶＤに記録された装置情報と前記メモリに予め記憶された装置情報が一致すれば、前記メモリに保存されている録画経過時間に合わせてアスペクト比を補正するように制御を行う。【選択図】図３
2007288389.tif 000002
【特許請求の範囲】
【請求項１】
光ディスクに対して情報の記録／再生を行う光ディスク記録再生装置において、
光ディスクとしてのＤＶＤにビデオ・レコーディング・フォーマット以外のフォーマットでテレビ放送番組を録画する際に、ＤＶＤの記録管理領域に当該装置を示す装置情報を記録させる装置情報記録手段と、
ＤＶＤのボリュームラベル領域に当該ＤＶＤを判別するためのディスク判別情報を記録させるディスク判別情報記録手段と、
テレビ放送信号に含まれるアスペクト情報が示すアスペクト比で録画を行うための初期設定のアスペクト情報として第１のアスペクト比を示すアスペクト情報をＤＶＤのビデオ・タイトル・セット・インフォメーションの領域に記録させると共に、装置のメモリに前記初期設定のアスペクト情報を保存するアスペクト情報記録保存手段と、
当該テレビ放送番組の録画中に、アスペクト比が切替わったか否かをテレビ放送信号に含まれるアスペクト情報により判定するアスペクト比切替え判定手段と、
前記アスペクト比が切替わったと判定された場合は、アスペクト比が切替わった時の録画経過時間と切替わったアスペクト比を示すアスペクト情報とをメモリに保存する録画経過時間・アスペクト情報保存手段と、を有する録画制御部を備えると共に、
前記録画制御部の制御によりＤＶＤに録画された当該テレビ放送番組を再生する際に、前記記録管理領域に記録された装置情報と当該装置のメモリに予め記憶されている装置情報とが一致するか否かを判定する装置情報判定手段と、
前記両装置情報が一致すると判定された場合に、録画された番組のアスペクト比を検知するために、前記メモリに保存されているアスペクト情報が示すアスペクト比が、第１のアスペクト比であるか否かを判定するアスペクト情報判定手段と、
前記メモリに保存されているアスペクト情報が示すアスペクト比が、第１のアスペクト比であると判定され、前記初期設定のアスペクト情報が示すアスペクト比が、第１のアスペクト比であれば、前記初期設定のアスペクト情報が示す第１のアスペクト比で映像を出力させ、前記メモリに保存されているアスペクト情報が示すアスペクト比が第１のアスペクト比であると判定され、前記初期設定のアスペクト情報が示すアスペクト比が、第１のアスペクト比でなければ、第２のアスペクト比のレターボックスで映像を出力させる第１の映像出力制御手段と、
前記メモリに保存されているアスペクト情報が示すアスペクト比が、第１のアスペクト比でないと判定された場合には、第１のアスペクト比から第２のアスペクト比へのスクイーズ処理を行い、前記初期設定のアスペクト情報が示すアスペクト比が第１のアスペクト比であれば、第１のアスペクト比のサイドパネル付きで映像を出力し、初期設定のアスペクト情報が示すアスペクト比が第１のアスペクト比でなければ、第２のアスペクト比のスタンダードで映像を出力させる第２の映像出力制御手段と、を有する再生制御部を備えたことを特徴とする光ディスク記録再生装置。
【請求項２】
光ディスクに対して情報の記録／再生を行う光ディスク記録再生装置において、
光ディスクとしてのＤＶＤにビデオ・レコーディング・フォーマット以外のフォーマットでテレビ放送番組を録画する際に、当該ＤＶＤに当該装置を示す装置情報を記録し、装置のメモリに録画時の録画経過時間と録画時のテレビ放送のアスペクト比を示すアスペクト情報を保存するように制御を行う録画制御部と、
当該ＤＶＤの録画番組を再生する際に、当該ＤＶＤに記録された装置情報と前記メモリに予め記憶された装置情報が一致すれば、前記メモリに保存されている録画経過時間に合わせてアスペクト比を補正するように制御を行う再生制御部と、を備えたことを特徴とする光ディスク記録再生装置。
【請求項３】
前記録画制御部は、光ディスクとしてのＤＶＤにビデオ・レコーディング・フォーマット以外のフォーマットでテレビ放送番組を録画する際に、ＤＶＤの記録管理領域に当該装置を示す装置情報を記録させる装置情報記録手段と、ＤＶＤのボリュームラベル領域に当該ＤＶＤを判別するためのディスク判別情報を記録させるディスク判別情報記録手段と、テレビ放送信号に含まれるアスペクト情報が示すアスペクト比で録画を行うための初期設定のアスペクト情報として第１のアスペクト比を示すアスペクト情報をＤＶＤのビデオ・タイトル・セット・インフォメーションの領域に記録させると共に、装置のメモリに前記初期設定のアスペクト情報を保存するアスペクト情報記録保存手段と、当該テレビ放送番組の録画中に、アスペクト比が切替わったか否かをテレビ放送信号に含まれるアスペクト情報により判定するアスペクト比切替え判定手段と、前記アスペクト比が切替わったと判定された場合は、アスペクト比が切替わった時の録画経過時間と切替わったアスペクト比を示すアスペクト情報とをメモリに保存する録画経過時間・アスペクト情報保存手段と、を有することを特徴とする請求項２に記載の光ディスク記録再生装置。
【請求項４】
前記再生制御部は、前記録画制御部の制御によりＤＶＤに録画された当該テレビ放送番組を再生する際に、前記記録管理領域に記録された装置情報と当該装置のメモリに予め記憶されている装置情報とが一致するか否かを判定する装置情報判定手段と、前記両装置情報が一致すると判定された場合に、録画された番組のアスペクト比を検知するために、前記メモリに保存されているアスペクト情報が示すアスペクト比が、第１のアスペクト比であるか否かを判定するアスペクト情報判定手段と、前記メモリに保存されているアスペクト情報が示すアスペクト比が第１のアスペクト比であると判定され、前記初期設定のアスペクト情報が示すアスペクト比が、第１のアスペクト比であれば、前記初期設定のアスペクト情報が示す第１のアスペクト比で映像を出力させ、前記メモリに保存されているアスペクト情報が示すアスペクト比が第１のアスペクト比であると判定され、前記初期設定のアスペクト情報が示すアスペクト比が、第１のアスペクト比でなければ、第２のアスペクト比のレターボックスで映像を出力させる第１の映像出力制御手段と、前記メモリに保存されているアスペクト情報が示すアスペクト比が、第１のアスペクト比でないと判定された場合には、第１のアスペクト比から第２のアスペクト比へのスクイーズ処理を行い、前記初期設定のアスペクト情報が示すアスペクト比が第１のアスペクト比であれば、第１のアスペクト比のサイドパネル付きで映像を出力し、初期設定のアスペクト情報が示すアスペクト比が第１のアスペクト比でなければ、第２のアスペクト比のスタンダードで映像を出力させる第２の映像出力制御手段と、を有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し、特に、再生出力映像のアスペクト比を切り替えるための制御に関する。
【背景技術】
【０００２】
近年、テレビ番組や映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷなどが知られている。これらのＤＶＤに記録された情報は、光ディスク再生装置（ＤＶＤプレイヤ）、または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷへの情報の記録は、光ディスク記録再生装置（ＤＶＤレコーダ）で可能である。
【０００３】
ところで、テレビ放送の画面では、４：３のアスペクト比と１６：９のアスペクト比があり、放送局によっては、４：３のアスペクト比と１６：９のアスペクト比の両方を採用している場合がある。一方、テレビ放送番組を録画できる光ディスク記録再生装置における録画方式としては、ＶＲ（ビデオレコーディング）フォーマットの録画方式やビデオモードの録画方式などがある。ＶＲフォーマットの録画方式は、テレビ放送番組を録画（記録）する場合に対応した録画方式であり、番組を録画中にテレビ放送信号に含まれるアスペクト情報が示すアスペクト比が、１６：９から４：３に、あるいは４：３から１６：９に変わっても、そのアスペクト比に対応させて、ＤＶＤ−ＲまたはＤＶＤ−ＲＷへの番組の録画を行うことができるようになっている。
【特許文献１】特開２００１−３６８７１号公報
【特許文献２】特開２００３−１５３１１５号公報
【発明の開示】
【発明が解決しようとする課題】
【０００４】
しかしながら、ビデオモードの録画方式は、元々映画の録画に使われるＤＶＤビデオとの互換性を考えた録画方式であり、同一タイトル内でのアスペクト比が変わることを想定していないので、ビデオモードで、ＤＶＤ−ＲまたはＤＶＤ−ＲＷへの番組の録画を行うと、当該番組のテレビ放送信号に含まれるアスペクト情報が示すアスペクト比が、放送局によっては、アスペクト比が、１６：９になったり、４：３になったりするが、録画開始時のアスペクト比を示すアスペクト情報が、ＤＶＤ−ＲまたはＤＶＤ−ＲＷに記録され、変更できないので、録画途中でテレビ放送信号に含まれるアスペクト情報が示すアスペクト比が変わった場合には、当該番組が最初にＤＶＤ−ＲまたはＤＶＤ−ＲＷに記録されたアスペクト情報が示すアスペクト比のまま録画され、この結果、当該番組を再生した際の画面としては、横長になったり、縦長になったりする。
【０００５】
即ち、従来の光ディスク記録再生装置において、録画中にテレビ放送信号に含まれるアスペクト情報が示すアスペクト比（テレビアスペクト比）と、録画の初めに光ディスクに記録されたアスペクト情報が示すアスペクト比（ディスクアスペクト比）とが一致しなくなった場合でも、ディスクアスペクト比は固定で、テレビアスペクト比に合わすことができないので、当該番組がディスクアスペクト比のまま録画され、この結果、当該番組を再生した際の画面としては、横長になったり、縦長になったりする。
【０００６】
また、ＤＶＤ＋ＲまたはＤＶＤ＋ＲＷのフォーマットの録画方式であっても、ビデオモードの録画方式と同様、録画中にテレビ放送信号に含まれるアスペクト情報が示すアスペクト比（テレビアスペクト比）と、録画の初めに光ディスクに記録されたアスペクト情報が示すアスペクト比（ディスクアスペクト比）とが一致しなくなった場合でも、ディスクアスペクト比は固定で、テレビアスペクト比に合わすことができないので、当該番組がディスクアスペクト比のまま録画され、この結果、当該番組を再生した際の画面としては、横長になったり、縦長になったりする。
【０００７】
そこで、従来の光ディスク記録再生装置では、録画前のセットアップでの初期設定で、ＶＲフォーマットの録画方式以外の例えばビデオモードの録画方式による録画の場合に、１６：９のアスペクト比の録画と、４：３のアスペクト比の録画との設定を選べる機能が備えられており、また、再生時にユーザがリモコンを操作して手動で、初期設定でスクイーズを選ぶ機能が備えられている。即ち、従来の光ディスク記録再生装置におけるアスペクト比の設定変更は、ユーザがリモコンを操作してディスプレイ装置にセットアップメニュー画面を表示させ、例えば、アスペクト比を１６：９から４：３のアスペクト比に設定変更し直しているので、従来の光ディスク記録再生装置では、アスペクト比の設定変更を行うのに、手間と時間が多くかかるという課題があった。
【０００８】
なお、特許文献１の従来技術では、ＤＶＤからの画像信号をスクイーズ成分画像とワイド画像成分とに分割し、モニタアスペクト識別信号による選択後、レート変換して画面表示を行うようにしているが、ＤＶＤが、例えば、ＤＶＤ−ＲまたはＤＶＤ−ＲＷであり、ビデオモードで、録画途中でテレビ放送信号に含まれるアスペクト情報が示すアスペクト比が変わった場合には、当該番組が前記アスペクト比のまま録画され、この結果、当該番組を再生した際の画面としては、横長になったり、縦長になったりすることを防止するためのアスペクト比の変更処理については開示されていない。
【０００９】
また、特許文献２の従来技術では、ＤＶＤなどの映像ソースにアスペクト比に応じたＯＳＤ表示データを混合して、映像表示装置にて画面表示を行うものであり、即ち、ビデオテープの残量表示や、再生中のＤＶＤなどのトラック番号表示などを表すＯＳＤ表示データをテレビ受像機やモニタの画面に表示させる際に、ＯＳＤ表示データを含む映像ソースのアスペクト比が、テレビ受像機やモニタの画面のアスペクト比に適合していない場合に、ＯＳＤ表示データを含む映像ソースのアスペクト比を、テレビ受像機やモニタの画面のアスペクト比に適合させ、ＯＳＤ情報の表示漏れなどの不具合を防止している。しかし、この従来技術は、ＤＶＤが、例えば、ＤＶＤ−ＲまたはＤＶＤ−ＲＷであり、ビデオモードで、録画途中でテレビ放送信号に含まれるアスペクト情報が示すアスペクト比が変わった場合には、当該番組が前記アスペクト比のまま録画され、この結果、当該番組を再生した際の画面としては、横長になったり、縦長になったりすることを防止するためのアスペクト比の変更処理については開示されていない。
【００１０】
本発明は、上記のような課題を解決するためになされたもので、ＶＲフォーマット以外の録画方式でテレビ番組をＤＶＤに録画する際に、記録途中でテレビ放送のアスペクト比が変わっても、再生時の再生映像は縦横のバランスの取れた映像を出力できる機能を有する光ディスク記録再生装置を提供することを目的とする。
【課題を解決するための手段】
【００１１】
上記目的を達成するために、請求項１の発明は、光ディスクとしてのＤＶＤにビデオ・レコーディング・フォーマット以外のフォーマットでテレビ放送番組を録画する際に、ＤＶＤの記録管理領域に当該装置を示す装置情報を記録させる装置情報記録手段と、ＤＶＤのボリュームラベル領域に当該ＤＶＤを判別するためのディスク判別情報を記録させるディスク判別情報記録手段と、テレビ放送信号に含まれるアスペクト情報が示す第１のアスペクト比のアスペクト比で録画を行うための初期設定のアスペクト情報として第１のアスペクト比を示すアスペクト情報をＤＶＤのビデオ・タイトル・セット・インフォメーションの領域に記録させると共に、装置のメモリに前記初期設定のアスペクト情報を保存するアスペクト情報記録保存手段と、当該テレビ放送番組の録画中に、アスペクト比が切替わったか否かをテレビ放送信号に含まれるアスペクト情報により判定するアスペクト比切替え判定手段と、前記アスペクト比が切替わったと判定された場合は、アスペクト比が切替わった時の録画経過時間と切替わったアスペクト比を示すアスペクト情報とをメモリに保存する録画経過時間・アスペクト情報保存手段と、を有する録画制御部を備えると共に、前記録画制御部の制御によりＤＶＤに録画された当該テレビ放送番組を再生する際に、前記記録管理領域に記録された装置情報と当該装置のメモリに予め記憶されている装置情報とが一致するか否かを判定する装置情報判定手段と、前記両装置情報が一致すると判定された場合に、録画された番組のアスペクト比を検知するために、前記メモリに保存されているアスペクト情報が示すアスペクト比が、第１のアスペクト比であるか否かを判定するアスペクト情報判定手段と、前記メモリに保存されているアスペクト情報が示すアスペクト比が第１のアスペクト比であると判定され、前記初期設定のアスペクト情報が示すアスペクト比が、第１のアスペクト比であれば、前記初期設定のアスペクト情報が示す第１のアスペクト比で映像を出力させ、前記メモリに保存されているアスペクト情報が示すアスペクト比が第１のアスペクト比であると判定され、前記初期設定のアスペクト情報が示すアスペクト比が、第１のアスペクト比でなければ、第２のアスペクト比のレターボックスで映像を出力させる第１の映像出力制御手段と、前記メモリに保存されているアスペクト情報が示すアスペクト比が、第１のアスペクト比でないと判定された場合には、第１のアスペクト比から第２のアスペクト比へのスクイーズ処理を行い、前記初期設定のアスペクト情報が示すアスペクト比が第１のアスペクト比であれば、第１のアスペクト比のサイドパネル付きで映像を出力し、初期設定のアスペクト情報が示すアスペクト比が第１のアスペクト比でなければ、第２のアスペクト比のスタンダードで映像を出力させる第２の映像出力制御手段と、を有する再生制御部を備えたことを特徴とする光ディスク記録再生装置を提供する。
【００１２】
この構成において、ＤＶＤが光ディスク記録再生装置に挿入された後、テレビ放送番組の録画指示が録画制御部に与えられると、録画制御部の装置情報記録手段は、ＤＶＤの記録管理領域に当該装置を示す装置情報を記録させる。次に、録画制御部のディスク判別情報記録手段は、ＤＶＤのボリュームラベル領域に当該ＤＶＤを判別するためのディスク判別情報を記録させ、更に、録画制御部のアスペクト情報記録保存手段は、テレビ放送信号に含まれるアスペクト情報が示す第１のアスペクト比で録画を行うための初期設定のアスペクト情報として第１のアスペクト比を示すアスペクト情報をＤＶＤのビデオ・タイトル・セット・インフォメーションの領域に記録させると共に、メモリに前記初期設定のアスペクト情報を保存する。
【００１３】
そして、当該番組の録画がＤＶＤに対して行われ、録画が継続しているとき録画制御部のアスペクト比切替え判定手段は、当該番組の映像のアスペクト比が切替わったか否かをテレビ放送信号に含まれるアスペクト情報により判定する。前記アスペクト比が切替わったと判定された場合は、録画制御部の録画経過時間・アスペクト情報保存手段は、録画開始からアスペクト比が切替わった時点までの時間である録画経過時間と、切替わったアスペクト比を示すアスペクト情報とをメモリに保存する。
【００１４】
このＤＶＤが光ディスク記録再生装置に挿入された後、再生指示が再生制御部に与えられると、再生制御部の装置情報判定手段は、ＤＶＤの記録管理領域に記録された装置情報と、メモリに予め記録されている装置情報とが一致するか否かを判定する。両装置情報が一致した場合は、再生制御部のアスペクト情報判定手段は、録画された番組のアスペクトを検知するために、メモリに保存されているアスペクト情報が示すアスペクト比が、第１のアスペクト比であるか否かを判定する。
【００１５】
メモリに保存されているアスペクト情報が示すアスペクト比が、第１のアスペクト比であると判定され、初期設定のアスペクト情報が示すアスペクト比が、第１のアスペクト比であれば、再生制御部の第１の映像出力制御手段は、初期設定のアスペクト情報が示す第１のアスペクト比で映像を出力させ、メモリに記録されているアスペクト情報が示すアスペクト比が、第１のアスペクト比であると判定され、初期設定のアスペクト情報が示すアスペクト比が、第１のアスペクト比でなければ、再生制御部の第１の映像出力制御手段は、第２のアスペクト比のレターボックスで映像を出力させる。
【００１６】
メモリに記録されているアスペクト情報が示すアスペクト比が、第１のアスペクト比でないと判定された場合は、再生制御部の第２の映像出力制御手段は、第１のアスペクト比から第２のアスペクト比へのスクイーズ処理を行い、初期設定のアスペクト情報が示すアスペクト比が第１のアスペクト比であれば、第１のアスペクト比のサイドパネル付きで映像を出力させ、初期設定のアスペクト情報が示すアスペクトが第１のアスペクト比でなければ、第２のアスペクト比のスタンダードで映像を出力させる。
【００１７】
この構成によれば、第２のアスペクト比（４：３）の映像を第１のアスペクト比（１６：９）で録画すると、記録映像は横方向に伸びるが、再生映像は補正されるので、縦横のバランスの取れた映像を出力することができる。また、第１のアスペクト比（１６：９）の映像を第２のアスペクト比（４：３）で録画すると、記録映像は縦方向に伸びるが、再生映像は補正されるので、縦横のバランスの取れた映像を出力することができる。したがって、ＤＶＤ−Ｒ、ＤＶＤ−ＲＷ、ＤＶＤ＋Ｒ、ＤＶＤ＋ＲＷなどのＤＶＤに対して、ビデオ・レコーディング・フォーマット以外のフォーマットでテレビ放送番組を録画して、録画途中でアスペクト比が変わっても、再生映像は、縦横のバランスの取れた映像を自動的に出力することができるようになる。これにより、ユーザは、従来のように、再生途中でアスペクト比が変わった場合に、セットアップでアスペクト比を設定し直すような面倒な操作をする必要がなくなり、使い勝手が向上する。
【００１８】
請求項２の発明は、光ディスクとしてのＤＶＤにビデオ・レコーディング・フォーマット以外のフォーマットでテレビ放送番組を録画する際に、当該ＤＶＤに当該装置を示す装置情報を記録し、装置のメモリに録画時の録画経過時間と録画時のテレビ放送のアスペクト比を示すアスペクト情報を保存するように制御を行う録画制御部と、当該ＤＶＤの録画番組を再生する際に、当該ＤＶＤに記録された装置情報と前記メモリに予め記憶された装置情報が一致すれば、前記メモリに保存されている録画経過時間に合わせてアスペクト比を補正するように制御を行う再生制御部と、を備えたことを特徴とする光ディスク記録再生装置を提供する。
【００１９】
この構成において、ＤＶＤにビデオ・レコーディング・フォーマット以外のフォーマットでテレビ放送番組を録画する際、録画制御部は、当該ＤＶＤに当該装置を示す装置情報を記録し、装置のメモリに録画時の録画経過時間と録画時のテレビ放送のアスペクト比を示すアスペクト情報を保存するように制御を行う。そして、当該ＤＶＤの録画番組を再生する際に、再生制御部は、当該ＤＶＤに記録された装置情報と前記メモリに予め記憶された装置情報が一致すれば、前記メモリに保存されている録画経過時間に合わせてアスペクト比を補正するように制御を行う。
【００２０】
この構成によれば、第２のアスペクト比（４：３）の映像を第１のアスペクト比（１６：９）で録画すると、記録映像は横方向に伸びるが、再生映像は補正されるので、縦横のバランスの取れた映像を出力することができる。また、第１のアスペクト比（１６：９）の映像を第２のアスペクト比（４：３）で録画すると、記録映像は縦方向に伸びるが、再生映像は補正されるので、縦横のバランスの取れた映像を出力することができる。したがって、ＤＶＤ−Ｒ、ＤＶＤ−ＲＷ、ＤＶＤ＋Ｒ、ＤＶＤ＋ＲＷなどのＤＶＤに対して、ビデオ・レコーディング・フォーマット以外のフォーマットでテレビ放送番組を録画して、録画途中でアスペクト比が変わっても、再生映像は、縦横のバランスの取れた映像を自動的に出力することができるようになる。これにより、ユーザは、従来のように、再生途中でアスペクト比が変わった場合に、セットアップでアスペクト比を設定し直すような面倒な操作をする必要がなくなり、使い勝手が向上する。
【００２１】
請求項３の発明では、請求項２の発明において、前記録画制御部は、光ディスクとしてのＤＶＤにビデオ・レコーディング・フォーマット以外のフォーマットでテレビ放送番組を録画する際に、ＤＶＤの記録管理領域に当該装置を示す装置情報を記録させる装置情報記録手段と、ＤＶＤのボリュームラベル領域に当該ＤＶＤを判別するためのディスク判別情報を記録させるディスク判別情報記録手段と、テレビ放送信号に含まれるアスペクト情報が示すアスペクト比で録画を行うための初期設定のアスペクト情報として第１のアスペクト比を示すアスペクト情報をＤＶＤのビデオ・タイトル・セット・インフォメーションの領域に記録させると共に、装置のメモリに前記初期設定のアスペクト情報を保存するアスペクト情報記録保存手段と、当該テレビ放送番組の録画中に、アスペクト比が切替わったか否かをテレビ放送信号に含まれるアスペクト情報により判定するアスペクト比切替え判定手段と、前記アスペクト比が切替わったと判定された場合は、アスペクト比が切替わった時の録画経過時間と切替わったアスペクト比を示すアスペクト情報とをメモリに保存する録画経過時間・アスペクト情報保存手段とを有する。
【００２２】
したがって、前記録画制御部は、装置情報記録処理、ディスク判別情報記録処理、アスペクト情報記録保存処理、アスペクト比切替え判定処理、および録画経過時間・アスペクト情報保存処理を実現でき、これにより、番組の録画中にアスペクト比が変わっても、再生時に再生映像が縦横のバランスの取れた映像を出力できるようにするための情報を確保することができる。
【００２３】
請求項４の発明では、請求項２の発明において、前記再生制御部は、前記録画制御部の制御によりＤＶＤに録画された当該テレビ放送番組を再生する際に、前記記録管理領域に記録された装置情報と当該装置のメモリに予め記憶されている装置情報とが一致するか否かを判定する装置情報判定手段と、前記両装置情報が一致すると判定された場合に、録画された番組のアスペクト比を検知するために、前記メモリに保存されているアスペクト情報が示すアスペクト比が、第１のアスペクト比であるか否かを判定するアスペクト情報判定手段と、前記メモリに保存されているアスペクト情報が示すアスペクト比が第１のアスペクト比であると判定され、前記初期設定のアスペクト情報が示すアスペクト比が、第１のアスペクト比であれば、前記初期設定のアスペクト情報が示す第１のアスペクト比で映像を出力させ、前記メモリに保存されているアスペクト情報が示すアスペクト比が第１のアスペクト比であると判定され、前記初期設定のアスペクト情報が示すアスペクト比が、第１のアスペクト比でなければ、第２のアスペクト比のレターボックスで映像を出力させる第１の映像出力制御手段と、前記メモリに保存されているアスペクト情報が示すアスペクト比が、第１のアスペクト比でないと判定された場合には、第１のアスペクト比から第２のアスペクト比へのスクイーズ処理を行い、前記初期設定のアスペクト情報が示すアスペクト比が第１のアスペクト比であれば、第１のアスペクト比のサイドパネル付きで映像を出力し、初期設定のアスペクト情報が示すアスペクト比が第１のアスペクト比でなければ、第２のアスペクト比のスタンダードで映像を出力させる第２の映像出力制御手段とを有する。
【００２４】
したがって、前記再生制御部は、装置情報判定処理、アスペクト情報判定処理、第１の映像出力制御処理、および第２の映像出力制御処理を実現でき、これにより、録画途中でアスペクト比が変わっても、再生映像は、縦横のバランスの取れた映像を自動的に出力させることが可能になる。
【発明の効果】
【００２５】
以上のように本発明によれば、光ディスクとしてのＤＶＤにビデオ・レコーディング・フォーマット以外のフォーマットでテレビ放送番組を録画する際に、ＤＶＤの記録管理領域に当該装置を示す装置情報を記録させる装置情報記録手段と、ＤＶＤのボリュームラベル領域に当該ＤＶＤを判別するためのディスク判別情報を記録させるディスク判別情報記録手段と、テレビ放送信号に含まれるアスペクト情報が示す第１のアスペクト比のアスペクト比で録画を行うための初期設定のアスペクト情報として第１のアスペクト比を示すアスペクト情報をＤＶＤのビデオ・タイトル・セット・インフォメーションの領域に記録させると共に、装置のメモリに前記初期設定のアスペクト情報を保存するアスペクト情報記録保存手段と、当該テレビ放送番組の録画中に、アスペクト比が切替わったか否かをテレビ放送信号に含まれるアスペクト情報により判定するアスペクト比切替え判定手段と、前記アスペクト比が切替わったと判定された場合は、アスペクト比が切替わった時の録画経過時間と切替わったアスペクト比を示すアスペクト情報とをメモリに保存する録画経過時間・アスペクト情報保存手段と、を有する録画制御部を備えると共に、前記録画制御部の制御によりＤＶＤに録画された当該テレビ放送番組を再生する際に、前記記録管理領域に記録された装置情報と当該装置のメモリに予め記憶されている装置情報とが一致するか否かを判定する装置情報判定手段と、前記両装置情報が一致すると判定された場合に、録画された番組のアスペクト比を検知するために、前記メモリに保存されているアスペクト情報が示すアスペクト比が、第１のアスペクト比であるか否かを判定するアスペクト情報判定手段と、前記メモリに保存されているアスペクト情報が示すアスペクト比が第１のアスペクト比であると判定され、前記初期設定のアスペクト情報が示すアスペクト比が、第１のアスペクト比であれば、前記初期設定のアスペクト情報が示す第１のアスペクト比で映像を出力させ、前記メモリに保存されているアスペクト情報が示すアスペクト比が第１のアスペクト比であると判定され、前記初期設定のアスペクト情報が示すアスペクト比が、第１のアスペクト比でなければ、第２のアスペクト比のレターボックスで映像を出力させる第１の映像出力制御手段と、前記メモリに保存されているアスペクト情報が示すアスペクト比が、第１のアスペクト比でないと判定された場合には、第１のアスペクト比から第２のアスペクト比へのスクイーズ処理を行い、前記初期設定のアスペクト情報が示すアスペクト比が第１のアスペクト比であれば、第１のアスペクト比のサイドパネル付きで映像を出力し、初期設定のアスペクト情報が示すアスペクト比が第１のアスペクト比でなければ、第２のアスペクト比のスタンダードで映像を出力させる第２の映像出力制御手段と、を有する再生制御部を備えたので、第２のアスペクト比（４：３）の映像を第１のアスペクト比（１６：９）で録画すると、記録映像は横方向に伸びるが、再生映像は補正され、縦横のバランスの取れた映像を出力することができる。また、第１のアスペクト比（１６：９）の映像を第２のアスペクト比（４：３）で録画すると、記録映像は縦方向に伸びるが、再生映像は補正され、縦横のバランスの取れた映像を出力することができる。
【００２６】
したがって、ＤＶＤ−Ｒ、ＤＶＤ−ＲＷ、ＤＶＤ＋Ｒ、ＤＶＤ＋ＲＷなどのＤＶＤに対して、ビデオ・レコーディング・フォーマット以外のフォーマットでテレビ放送番組を録画して、録画途中でアスペクト比が変わっても、再生映像は、縦横のバランスの取れた映像を自動的に出力することができるようになる。これにより、ユーザは、従来のように、再生途中でアスペクト比が変わった場合に、セットアップでアスペクト比を設定し直すような面倒な操作をする必要がなくなり、使い勝手が向上する。
【００２７】
また、本発明によれば、光ディスクとしてのＤＶＤにビデオ・レコーディング・フォーマット以外のフォーマットでテレビ放送番組を録画する際に、当該ＤＶＤに当該装置を示す装置情報を記録し、装置のメモリに録画時の録画経過時間と録画時のテレビ放送のアスペクト比を示すアスペクト情報を保存するように制御を行う録画制御部と、当該ＤＶＤの録画番組を再生する際に、当該ＤＶＤに記録された装置情報と前記メモリに予め記憶された装置情報が一致すれば、前記メモリに保存されている録画経過時間に合わせてアスペクト比を補正するように制御を行う再生制御部と、を備えたので、第２のアスペクト比（４：３）の映像を第１のアスペクト比（１６：９）で録画すると、記録映像は横方向に伸びるが、再生映像は補正され、縦横のバランスの取れた映像を出力することができる。また、第１のアスペクト比（１６：９）の映像を第２のアスペクト比（４：３）で録画すると、記録映像は縦方向に伸びるが、再生映像は補正され、縦横のバランスの取れた映像を出力することができる。
【００２８】
したがって、ＤＶＤ−Ｒ、ＤＶＤ−ＲＷ、ＤＶＤ＋Ｒ、ＤＶＤ＋ＲＷなどのＤＶＤに対して、ビデオ・レコーディング・フォーマット以外のフォーマットでテレビ放送番組を録画して、録画途中でアスペクト比が変わっても、再生映像は、縦横のバランスの取れた映像を自動的に出力することができるようになる。これにより、ユーザは、従来のように、再生途中でアスペクト比が変わった場合に、セットアップでアスペクト比を設定し直すような面倒な操作をする必要がなくなり、使い勝手が向上する。
【発明を実施するための最良の形態】
【００２９】
以下、添付図面を参照しつつ、本発明の実施の形態について説明する。図１は本発明の一実施形態に係る光ディスク記録再生装置の構成を示すブロック図である。
【００３０】
この光ディスク記録再生装置は、装置全体を制御するシステムコントローラ２２と、光ディスク（ＤＶＤ等）１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００３１】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００３２】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオデコーダ１５と、このビデオデコーダ１５でのデコード処理を行うためにデータを一時的に格納するＲＡＭ１４とを備えている。
【００３３】
また、この光ディスク記録再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用の映像信号に変換して、その映像信号を例えばテレビ受信機２０の映像回路に供給するビデオエンコーダ１８と、オーディオデコーダ１１から出力されたデータをアナログのオーディオ信号に変換して、そのオーディオ信号を例えばテレビ受信機２０の音声回路に供給するＤ／Ａ変換器１６とを備えている。
【００３４】
信号切換回路１９は、ビデオ動作モード時においてデジタル放送受信装置１００からの映像信号および音声信号を直接テレビ受信機２０に供給したり、ビデオ動作モードに設定した後、再生モード時に光ディスク１から再生された映像信号および音声信号をテレビ受信機２０に供給したりするための回路であり、操作部２１の操作信号に応答したシステムコントローラ２２により制御される。なお、ここで言うビデオ動作モードは、この光ディスク記録再生装置が動作するモードであり、録画方式のビデオモードとは意味が異なる。
【００３５】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコンなどの操作部２１を備えている。また、この光ディスク記録再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００３６】
また、この光ディスク記録再生装置は、アンテナ２８に接続されるデジタル放送受信装置１００と、このデジタル放送受信装置１００で選局されたテレビジョン放送の映像音声信号、あるいは他の映像音声出力機器からの映像音声信号をデジタルの映像音声データに変換するＡ／Ｄ変換回路３０と、前記映像音声データをＭＰＥＧでエンコードするエンコーダ３１と、前記エンコードした映像音声データ（エンコードデータ）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３７】
図２は図１中のデジタル放送受信装置の構成を示すブロック図である。図２において、デジタル放送受信装置１００は、テレビ放送電波を受信するアンテナ１１１、受信した放送電波の中から所望のチャンネルの放送電波を選局するチューナ部１１２、このチューナ部１１２から出力された映像音声データの復調および誤りの訂正処理を行う復調・誤り訂正部１１３、映像データと音声データと番組情報のデータとが多重化されているデジタル放送信号から各データを分離抽出するデマルチプレクサ１１５、復調されたデジタル放送信号に付加されている不正視聴防止用のスクランブル信号を解除するデスクランブラ１１４、およびデジタル圧縮された音声データをアナログ音声信号にデコードする音声デコーダ１１９を備えている。
【００３８】
また、このデジタル放送受信装置１００は、デジタル圧縮された映像データを展開してＲＧＢ信号にデコードする映像デコーダ１２０、この映像デコーダ１２０から出力されるＲＧＢ信号を１フレーム分格納するフレームメモリ１２１、ＲＧＢ信号を例えばコンポジット映像信号にダウンコンバートする信号変換回路１２２、デマルチプレクサ１１５により分離された番組情報を復調する番組情報復調部１１７、番組情報などが記録されるメモリ（ＩＣカードでも良い）１１６、および前記番組情報に基づいてテレビ受信機のディスプレイ装置に表示する電子番組案内表データを作成するＯＳＤ（オン・スクリーン・ディスプレイ）処理部１１８を備えている。
【００３９】
デジタル放送受信装置１００内の構成要素は、図１で示したシステムコントローラ２２によって制御される。このように構成されたデジタル放送受信装置１００において、操作部２１（図１参照）からのチャンネル選択の入力操作に従って、システムコントローラ２２がデスクランブラ１１４やデマルチプレクサ１１５に制御信号を出力し、その制御信号に基づきデスクランブラ１１４やデマルチプレクサ１１５で選択チャンネルの信号が抽出され、選択チャンネルのデジタル圧縮信号が音声デコーダ１１９および映像デコーダ１２０でデコードされて、その選択チャンネルの音声信号および映像信号がテレビ受信機２０（図１参照）などに出力される。
【００４０】
なお、視聴契約が必要な有料チャンネルに関しては、デスクランブラ１１４にて選択チャンネルの信号をデスクランブルする際にメモリ１１６から視聴契約情報が読み出され、視聴契約が結ばれている場合だけ正常にデスクランブルが実行され、視聴が可能となる。
【００４１】
図３は本実施形態においてテレビ放送の映像と記録映像と再生映像との関係を説明するための図である。図３において、３０１は１６：９のアスペクト比のワイド画面のテレビ放送（ＴＶ放送）の映像、３０２は番組途中でアスペクト比が１６：９から４：３に変わった場合のアスペクト比が４：３のテレビ放送の映像、３０３は番組途中でアスペクト比が４：３から１６：９に変わった場合のアスペクト比が１６：９のテレビ放送の映像を示す。３０４はテレビ放送の映像３０１をそのまま録画した場合のアスペクト比が１６：９の記録映像、３０５はテレビ放送の映像３０２を１６：９のアスペクト比で録画した場合のアスペクト比が１６：９の記録映像、３０６はテレビ放送の映像３０３を同じく１６：９のアスペクト比で録画した場合のアスペクト比が１６：９の記録映像を示す。３０７は記録映像３０４をそのまま再生した場合のアスペクト比が１６：９の再生映像、３０８は記録映像３０５を補正再生した場合で両サイドに黒帯を付けて補正したアスペクト比が１６：９の再生映像、３０９は記録映像３０６をそのまま再生したアスペクト比が１６：９の再生画像を示す。
【００４２】
この図３によれば、番組の録画が開示すると、アスペクト比が１６：９のテレビ放送の映像３０１に対して、アスペクト比が１６：９のまま録画され、この記録映像が記録映像３０４となり、この記録映像３０４を再生すると、アスペクト比が１６：９のまま再生され、この再生映像が再生映像３０７となる。そして、録画中に、当該番組の映像のアスペクト比が１６：９から４：３に変更されると、テレビ放送の映像が映像３０２となり、この映像３０２に対して記録映像はアスペクト比が１６：９の記録映像３０５となり、この記録映像３０５を補正再生すると、横方向で縮めて両サイドに黒帯を付けて補正したアスペクト比が１６：９の再生映像３０８となる。そして、再び、当該番組の映像のアスペクト比が４：３から１６：９に変更されると、テレビ放送の映像が映像３０３となり、アスペクト比が１６：９のテレビ放送の映像３０３に対して、アスペクト比が１６：９のまま録画され、この記録映像が記録映像３０６となり、この記録映像３０６を再生すると、アスペクト比が１６：９のまま再生され、この再生映像が再生映像３０９となる。
【００４３】
図４は本実施形態において録画時の処理を説明するためのフローチャートである。このフローチャートおよび図１〜図３を参照して録画時の処理について説明する。この録画時の処理は、光ディスク１がＤＶＤ−ＲまたはＤＶＤ−ＲＷのＤＶＤである場合にはビデオモード（Ｖｉｄｅｏ  ｍｏｄｅ）の録画方式による録画、あるいは光ディスク１がＤＶＤ＋ＲまたはＤＶＤ＋ＲＷのＤＶＤである場合にはＤＶＤ＋ＲまたはＤＶＤ＋ＲＷのフォーマットの録画方式による録画について説明する。
【００４４】
ＤＶＤ−ＲまたはＤＶＤ−ＲＷまたはＤＶＤ＋ＲまたはＤＶＤ＋ＲＷの光ディスク（ＤＶＤ）１が光ディスク記録再生装置に挿入された後、操作部２１のキー操作によりテレビ放送番組の録画指示がシステムコントローラ２２に与えられると、システムコントローラ２２における録画制御部２２１の装置情報記録手段は、光ディスク（ＤＶＤ）１のＲＭＡ（Recording Management Area ；記録管理領域）に当該装置を示す装置情報（ドライブ情報）を記録させる（ステップＮ１）。即ち、システムコントローラ２２は、フラッシュＲＯＭ２３に予め記録されている装置情報を読み出し、ＡＴＡＰＩ３３を介して記録データ変調回路２５に入力して、その装置情報の信号に変調をかけ、更に、その信号をレーザ変調回路２６に入力して、その信号にレーザ変調をかけ、レーザ変調信号として光ピックアップ２に与えることにより、光ディスク（ＤＶＤ）１のＲＭＡに装置情報を記録させる。
【００４５】
次に、システムコントローラ２２における録画制御部２２１のディスク判別情報記録手段は、光ディスク（ＤＶＤ）１のボリュームラベル領域に当該光ディスク（ＤＶＤ）１を判別するためのディスク判別情報（ディスク名など）を記録させ（ステップＮ２）、更に、システムコントローラ２２における録画制御部２２１のアスペクト情報記録保存手段は、テレビ放送信号に含まれるアスペクト情報が示す１６：９のアスペクト比で録画を行うための初期設定（セットアップでの初期設定）のアスペクト情報として１６：９のアスペクト比を示すアスペクト情報を光ディスク（ＤＶＤ）１のＶＴＳＩ（ビデオ・タイトル・セット・インフォメーション）の領域に記録させると共にフラッシュＲＯＭ２３に前記初期設定のアスペクト情報を保存する（ステップＮ３）。
【００４６】
そして、当該番組の録画が光ディスク（ＤＶＤ）１に対して行われ、録画予約（タイマ予約）による録画の停止、あるいは操作部２１の停止キーの操作による録画の停止が行われず、録画が継続しているとき（ステップＮ４）、システムコントローラ２２における録画制御部２２１のアスペクト比切替え判定手段は、当該番組の映像のアスペクト比が切替わったか否かを、デジタル放送受信装置１００からのテレビ放送信号に含まれるアスペクト情報により判定する（ステップＮ５）。前記アスペクト比が切替わったと判定された場合は、システムコントローラ２２における録画制御部２２１の録画経過時間・アスペクト情報保存手段は、図示しないタイマにより計時されている録画開始からアスペクト比が切替わった時点までの時間である録画経過時間（録画開始時点の装置内での時刻を０時とすれば０時からアスペクト比が切替わった時点の装置内での時刻に相当する時間）と、切替わったアスペクト比を示すアスペクト情報とを、フラッシュＲＯＭ２３に保存する（ステップＮ６）。
【００４７】
図５は本実施形態において再生時の処理を説明するためのフローチャートである。このフローチャートおよび図１〜図３を参照して再生時の処理について説明する。この再生時の処理は、図４に示すフローチャートの処理で番組が録画された光ディスク（ＤＶＤ）１に対して行われる再生処理について説明する。
【００４８】
この光ディスク（ＤＶＤ）１が光ディスク記録再生装置に挿入された後、操作部２１のキー操作により再生指示がシステムコントローラ２２に与えられると、システムコントローラ２２における再生制御部２２２の装置情報判定手段は、光ディスク（ＤＶＤ）１のＲＭＡ（記録管理領域）に記録された装置情報と、フラッシュＲＯＭ２３に予め記録されている装置情報とが一致するか否かを判定する（ステップＳ１）。両装置情報が一致しない場合は、システムコントローラ２２は通常の再生を行わせるが（ステップＳ２）、両装置情報が一致した場合は、システムコントローラ２２における再生制御部２２２のアスペクト情報判定手段は、録画された番組のアスペクト比を検知するために、フラッシュＲＯＭ２３に保存されているアスペクト情報が示すアスペクト比が、１６：９のアスペクト比であるか否かを判定する（ステップＳ３）。
【００４９】
フラッシュＲＯＭ２３に記録されているアスペクト情報が示すアスペクト比が、１６：９のアスペクト比であると判定され（ステップＳ３）、前記初期設定のアスペクト情報が示すアスペクト比が、１６：９のアスペクト比であれば（ステップＳ４）、システムコントローラ２２における再生制御部２２２の第１の映像出力制御手段は、初期設定の１６：９のアスペクト比で映像をテレビ受信機２０に出力させる（ステップＳ５）。フラッシュＲＯＭ２３に記録されているアスペクト情報が示すアスペクト比が、１６：９のアスペクト比であると判定され（ステップＳ３）、前記初期設定のアスペクト情報が示すアスペクト比が、１６：９のアスペクト比でなければ（ステップＳ４）、システムコントローラ２２における再生制御部２２２の第１の映像出力制御手段は、４：３のアスペクト比のレターボックスで映像をテレビ受信機２０に出力させる（ステップＳ６）。
【００５０】
フラッシュＲＯＭ２３に保存されているアスペクト情報が示すアスペクト比が、初期設定のアスペクト情報が示す１６：９のアスペクト比でないと判定された場合には（ステップＳ３）、システムコントローラ２２における再生制御部２２２の第２の映像出力制御手段は、１６：９のアスペクト比から４：３のアスペクト比へのスクイーズ処理を行い（ステップＳ７）、前記初期設定のアスペクト情報が示すアスペクト比が、１６：９のアスペクト比であれば（ステップＳ８）、アスペクト比が１６：９のサイドパネル付きで映像（図３の３０８参照）をテレビ受信機２０に出力し（ステップＳ９）、前記初期設定のアスペクト情報が示すアスペクト比が、１６：９のアスペクト比でなければ（ステップＳ８）、アスペクト比が４：３のスタンダードで映像をテレビ受信機２０に出力させる（ステップＳ１０）。
【００５１】
以上説明したように本実施形態によれば、アスペクト比４：３の映像をアスペクト比１６：９で録画すると、記録映像は横方向に伸びるが、再生映像は補正されるので、縦横のバランスの取れた映像を出力することができる。また、アスペクト比１６：９の映像をアスペクト比４：３で録画すると、記録映像は縦方向に伸びるが、再生映像は補正されるので、縦横のバランスの取れた映像を出力することができる。したがって、ＤＶＤ−Ｒ、ＤＶＤ−ＲＷ、ＤＶＤ＋Ｒ、ＤＶＤ＋ＲＷなどのＤＶＤに対して、ＶＲフォーマット以外のフォーマットでテレビ放送番組を録画して、録画途中でアスペクト比が変わっても、再生映像は、縦横のバランスの取れた映像を自動的に出力することができるようになる。これにより、ユーザは、従来のように、再生途中でアスペクト比が変わった場合に、セットアップでアスペクト比を設定し直すような面倒な操作をする必要がなくなり、使い勝手が向上する。
【産業上の利用可能性】
【００５２】
本発明は、ＶＲフォーマット以外の記録方式でＤＶＤにテレビ番組を録画して、そのテレビ番組を再生する際に、再生映像が縦横のバランスの取れた映像を出力できるようにする機能をＤＶＤレコーダなどの光ディスク記録再生装置に付加することができる。
【図面の簡単な説明】
【００５３】
【図１】本発明の一実施形態に係る光ディスク記録再生装置の構成を示すブロック図である。
【図２】図１中のデジタル放送受信装置の構成を示すブロック図である。
【図３】前記実施形態においてテレビ放送の映像と記録映像と再生映像との関係を説明するための図である。
【図４】前記実施形態において録画時の処理を説明するためのフローチャートである。
【図５】前記実施形態において再生時の処理を説明するためのフローチャートである。
【符号の説明】
【００５４】
１    光ディスク
２３    フラッシュＲＯＭ（メモリ）
２２１    録画制御部（装置情報記録手段、ディスク判別情報記録手段、アスペクト情報記録保存手段、アスペクト比切換え判定手段、録画経過時間・アスペクト情報保存手段）
２２２    再生制御部（装置情報判定手段、アスペクト情報判定手段、第１の映像出力制御手段、第２の映像出力制御手段）
【図１】
2007288389.tif 000003
【図２】
2007288389.tif 000004
【図３】
2007288389.tif 000005
【図４】
2007288389.tif 000006
【図５】
2007288389.tif 000007